(57)【要約】【課題】一以上の機能の実行においてユーザの手間を低減可能な技術を提供することを目的とする。【解決手段】ナビゲーション装置１は、予め決められた場所を目的地または経由地に設定する機能を含む、ユーザからの操作に応じて実行可能な複数の機能を有し、移動体とともに移動可能なナビゲーション装置であって、取得部１１と、記憶部１２と、制御部１３とを備える。取得部１１は、複数の機能のうち一以上の機能の登録を受け付ける。記憶部１２は、取得部１１で受け付けた登録を記憶する。制御部１３は、記憶部１２に記憶された登録に基づいて、登録された一以上の機能をナビゲーション装置１の起動後に自動的に実行する自動実行を行う。【選択図】図１
2017207324.tif 000002
【特許請求の範囲】
【請求項１】
予め決められた場所を目的地または経由地に設定する機能を含む、ユーザからの操作に応じて実行可能な複数の機能を有し、移動体とともに移動可能な制御装置であって、
前記複数の機能のうち一以上の機能の登録を受け付ける取得部と、
前記取得部で受け付けた登録を記憶する記憶部と、
前記記憶部に記憶された登録に基づいて、登録された前記一以上の機能を前記制御装置の起動後に自動的に実行する自動実行を行う制御部と
を備える、制御装置。
【請求項２】
請求項１に記載の制御装置であって、
前記制御部は、
前記自動実行が設定されている場合に前記自動実行を行う、制御装置。
【請求項３】
請求項２に記載の制御装置であって、
登録された前記一以上の機能は、ユーザからの複数回の操作に応じて実行可能な複数操作機能を含み、
前記制御部は、
前記複数回の操作よりも少ない回数の操作で前記複数操作機能を実行可能なユーザメニュー画面を前記制御装置の起動後に表示することが設定されている場合には、前記自動実行の代わりに、前記記憶部に記憶された登録に基づいて、前記ユーザメニュー画面を表示部に表示させる、制御装置。
【請求項４】
請求項３に記載の制御装置であって、
前記制御部は、
前記ユーザメニュー画面と異なる別画面を前記制御装置の起動後に表示することが設定されている場合には、前記ユーザメニュー画面の代わりに、または、前記ユーザメニュー画面とともに前記別画面を前記表示部に表示させる、制御装置。
【請求項５】
請求項３に記載の制御装置であって、
前記制御部は、
前記制御装置の起動後かつ前記ユーザメニュー画面の表示前に、起動画面を前記表示部に表示させる、制御装置。
【請求項６】
請求項３に記載の制御装置であって、
前記取得部は、前記複数の機能のうち互いに対応付けられた二以上の機能についての登録を受け付け、
前記制御部は、
登録された前記二以上の機能を１回の操作で実行可能な画面を、前記ユーザメニュー画面として前記表示部に表示させる、制御装置。
【請求項７】
請求項１から請求項６のうちのいずれか１項に記載の制御装置であって、
前記取得部は、前記複数の機能のうち互いに対応付けられた二以上の機能についての登録を受け付け、
前記制御部は、
前記記憶部に記憶された登録に基づいて、登録された前記二以上の機能を前記制御装置の起動後に自動的に実行する、制御装置。
【請求項８】
請求項１から請求項７のうちのいずれか１項に記載の制御装置であって、
前記取得部は、登録の変更をさらに受け付け、
前記取得部で受け付けた変更に基づいて、前記記憶部に記憶された登録を変更する、制御装置。
【請求項９】
請求項１から請求項８のうちのいずれか１項に記載の制御装置であって、
前記機能は、前記移動体の移動を支援する機能を含む、制御装置。
【請求項１０】
予め決められた場所を目的地または経由地に設定する機能を含む、ユーザからの操作に応じて実行可能な複数の機能を有し、移動体とともに移動可能な制御装置の制御方法であって、
前記複数の機能のうち一以上の機能の登録を受け付け、
受け付けた登録を記憶し、
記憶された登録に基づいて、登録された前記一以上の機能を前記制御装置の起動後に自動的に実行する、制御方法。
【発明の詳細な説明】
【技術分野】
【０００１】
本発明は、予め決められた場所を目的地または経由地に設定する機能を含む、ユーザからの操作に応じて実行可能な複数の機能を有し、移動体とともに移動可能な制御装置、及び、その制御方法に関する。
【背景技術】
【０００２】
近年、ナビゲーション装置について様々な技術が提案されている。例えば特許文献１には、ナビゲーション機能及びオーディオ機能などの複数の機能のうち実行頻度が高い機能を、簡単な操作で実行可能な画面を表示するナビゲーション装置が提案されている。
【先行技術文献】
【特許文献】
【０００３】
【特許文献１】特開２００４−２４９８４０号公報
【発明の概要】
【発明が解決しようとする課題】
【０００４】
以上のようなナビゲーション装置では、起動後に実行される機能は同じであることが多い。そこで従来技術では、実行頻度が高い機能を簡単な操作で実行可能な画面を表示するが、ナビゲーション装置の起動後に機能を実行するためには、依然として何らかの操作を行わなければならず、ユーザにとって手間がかかるという問題があった。
【０００５】
そこで、本発明は、上記のような問題点を鑑みてなされたものであり、一以上の機能の実行においてユーザの手間を低減可能な技術を提供することを目的とする。
【課題を解決するための手段】
【０００６】
本発明に係る制御装置は、予め決められた場所を目的地または経由地に設定する機能を含む、ユーザからの操作に応じて実行可能な複数の機能を有し、移動体とともに移動可能な制御装置であって、複数の機能のうち一以上の機能の登録を受け付ける取得部と、取得部で受け付けた登録を記憶する記憶部と、記憶部に記憶された登録に基づいて、登録された一以上の機能を制御装置の起動後に自動的に実行する自動実行を行う制御部とを備える。
【発明の効果】
【０００７】
本発明によれば、登録された一以上の機能を制御装置の起動後に自動的に実行する。このため、ユーザが操作しなくても、ユーザが望む機能を実行することができるので、ユーザの手間を低減することができる。
【図面の簡単な説明】
【０００８】
【図１】実施の形態１に係るナビゲーション装置の構成を示すブロック図である。
【図２】実施の形態１に係る機能の一覧を示す図である。
【図３】実施の形態１に係るユーザメニュー画面の表示例を示す図である。
【図４】実施の形態１に係るナビゲーション装置の処理を示すフローチャートである。
【図５】変形例１に係るユーザメニュー画面の表示例を示す図である。
【図６】変形例２に係るユーザメニュー画面の表示例を示す図である。
【図７】その他の変形例に係るナビゲーション装置のハードウェア構成を示すブロック図である。
【図８】その他の変形例に係るナビゲーション装置のハードウェア構成を示すブロック図である。
【図９】その他の変形例に係る通信端末の構成を示すブロック図である。
【発明を実施するための形態】
【０００９】
＜実施の形態１＞
以下の実施の形態では、本発明に係る制御装置が、移動体とともに移動可能であり、ユーザからの操作に応じて実行可能な複数の機能を有するナビゲーション装置に適用されている構成を例にして説明する。なお、複数の機能には、予め決められた場所を目的地または経由地に設定する機能が含まれる。以下、移動体は車両であるものとする。そして、ナビゲーション装置が搭載され、着目の対象となる車両を「自車両」と記載して説明する。
【００１０】
図１は、本実施の形態１に係るナビゲーション装置の構成を示すブロック図である。図
１に示すように、ナビゲーション装置１は、出力部５１と接続されており、出力部５１の出力を制御することが可能となっている。ここでは、出力部５１は、各種情報を表示する表示部５１ａと、各種情報を音声出力する音声出力部５１ｂとを備えている。表示部５１ａには、例えば、ダッシュボードのセンターパネルに配設された液晶表示装置などの表示装置が適用されてもよいし、ヘッドアップディスプレイ（ＨＵＤ）が適用されてもよい。音声出力部５１ｂには、例えばスピーカが適用されてもよい。
【００１１】
図１のナビゲーション装置１は、取得部１１と、記憶部１２と、ナビゲーション装置１の構成要素を統括的に制御する制御部１３とを備える。ナビゲーション装置１は、複数の機能のうちユーザによって選択された機能、つまり所望の機能を実行することが可能となっている。
【００１２】
図２は、本実施の形態１に係るナビゲーション装置１が有する複数の機能の一覧を示す図である。以下、ナビゲーション装置１が有する複数の機能は、地図表示機能、目的地検索機能、経路探索機能、案内機能、ナビメニュー表示機能、オーディオ機能、オーディオメニュー表示機能、ユーザメニュー表示機能、及び、設定機能を含むものとして説明するが、これらに限ったものではない。次に、各機能について詳細に説明する。
【００１３】
地図表示機能は、地図画面を表示部５１ａに表示する機能である。目的地検索機能は、所望の目的地を検索したり、所望の目的地と同様に所望の経由地を検索したりするための機能である。目的地検索機能には、例えば、自車両周辺の施設から目的地を検索する周辺施設検索機能、名称から目的地を検索する名称検索機能、ジャンルすなわちカテゴリから目的地を検索するジャンル検索機能、電話番号から目的地を検索する電話番号検索機能、検索履歴から目的地を選択する検索履歴選択機能などが含まれる。
【００１４】
経路探索機能は、現在地などの出発地から目的地までの経路を探索する機能である。案内機能は、探索された経路に沿った案内を行う機能である。ナビメニュー表示機能は、地図表示機能、目的地検索機能、経路探索機能及び案内機能のいずれかを実行するためのナビメニュー画面を表示部５１ａに表示する機能である。なお、地図表示機能、目的地検索機能、経路探索機能、案内機能、ナビメニュー表示機能のそれぞれは、自車両の移動を支援する機能である。
【００１５】
オーディオ機能は、オーディオソースに基づいて音楽などを出力部５１から出力させる機能である。オーディオソースには、例えば、Ｂｌｕｅｔｏｏｔｈ（登録商標）の送信機能を有するオーディオ機器、ＣＤ（Compact Disc）、ＳＤ（Secure Digital memory）カード、地上デジタル放送などが適用される。オーディオメニュー表示機能は、オーディオソースの選択などのオーディオ機能の設定を行うためのオーディオメニュー画面を表示部５１ａに表示する機能である。
【００１６】
ユーザメニュー表示機能は、ユーザメニュー画面を表示部５１ａに表示する機能である。ユーザメニュー画面については、後で詳細に説明する。設定機能は、ナビゲーション装置１の各種設定を行う機能である。
【００１７】
図１に戻って、取得部１１は、実行操作、登録操作、変更操作、及び、設定操作などの各種操作をユーザなどから受け付ける。実行操作は、機能をすぐに実行するための操作である。登録操作は、ナビゲーション装置１の起動後に一以上の機能を素早く実行できるように当該一以上の機能を登録するための操作である。変更操作は、記憶部１２に記憶された登録を変更するための操作である。設定操作は、ナビゲーション装置１の各種設定を行うための操作である。なお、取得部１１が登録操作を受け付け可能となっている際には、登録操作によって登録可能な機能の一覧が表示部５１ａに表示されてもよい。
【００１８】
以上のように構成された取得部１１は、機能の実行を受け付けたり、複数の機能のうちの一以上の機能の登録を受け付けたり、登録の変更を受け付けたり、ナビゲーション装置１の設定を受け付けたりする。
【００１９】
なお、取得部１１には、例えば、ボタン、タッチパネル、及び、ユーザからの音声操作を受け付ける音声入力装置の少なくともいずれか一つの入力装置が適用される。取得部１１には、一つの入力装置が適用されてもよいし、操作の種類ごとに別々の入力装置が適用されてもよいし、後述する処理回路が適用されてもよい。
【００２０】
記憶部１２は、取得部１１で受け付けた内容を記憶する。図１の記憶部１２は、登録記憶部１２ａと、メニュー設定記憶部１２ｂとを備える。
【００２１】
登録記憶部１２ａは、取得部１１で受け付けた登録を記憶する。登録記憶部１２ａに登録が記憶されることと、ナビゲーション装置１に一以上の機能が登録されることとは、実質的に同じである。以下、登録された一以上の機能を「登録機能」と記して説明することもある。
【００２２】
なお本実施の形態１では、登録機能は、ユーザからの複数回の操作に応じて実行可能な複数操作機能を含んでいるものとする。これにより、例えば、表示部５１ａに表示されるホーム画面から画面を切り替える操作が行われた後に、実行操作が行われることによって実行される機能などが、複数操作機能として登録機能に含まれる。
【００２３】
メニュー設定記憶部１２ｂは、取得部１１で受け付けた設定を記憶する。これにより、登録機能をナビゲーション装置１の起動後に自動的に実行すること、ユーザメニュー画面をナビゲーション装置１の起動後に表示すること、及び、ユーザメニュー画面と異なる別画面をナビゲーション装置１の起動後に表示すること、のいずれか１つが、メニュー設定記憶部１２ｂに設定される。
【００２４】
なお、以下の説明では、記憶部１２に記憶された登録に基づいて、登録機能をナビゲーション装置１の起動後に自動的に実行されることを、「登録機能の自動実行」と記すこともある。また、以下の説明では、ユーザメニュー画面と異なる別画面は、地図画面であるものとして説明するが、これに限ったものではない。
【００２５】
ここで、ユーザメニュー画面について説明する。ユーザメニュー画面は、登録機能が複数操作機能を含む場合に、当該複数操作機能をその本来の複数回の操作よりも少ない回数の操作で実行可能な画面である。
【００２６】
図３は、実施の形態１に係るユーザメニュー画面の表示例を示す図である。図３の例では、案内機能及びオーディオ機能のそれぞれが、複数操作機能である。この場合、ユーザメニュー画面における案内機能のアイコン２１に対して、例えば１回の操作が行われた場合に、ナビゲーション装置１は、本来であれば複数回の操作を実行に要する案内機能を実行する。同様に、ユーザメニュー画面におけるオーディオ機能のアイコン２２に対して、例えば１回の操作が行われた場合に、ナビゲーション装置１は、本来であれば複数回の操作を実行に要するオーディオ機能を実行する。
【００２７】
つまり本実施の形態１に係るナビゲーション装置１は、パーソナルコンピュータのショートカットアイコンと同様のアイコン２１，２２を含むユーザメニュー画面を表示部５１ａに表示させることが可能となっている。なお、案内機能に用いる目的地及び経路、並びに、オーディオ機能に用いるオーディオソースなどの各要素は、ユーザによってメニュー設定記憶部１２ｂなどに予め設定された要素が適用されてもよいし、ナビゲーション装置１によって設定回数が最も多いと判定された要素が適用されてもよい。
【００２８】
制御部１３は、機能実行部１３ａと、表示制御部１３ｂとを備える。
【００２９】
機能実行部１３ａは、取得部１１で受け付けた実行操作に応じて機能を実行する。また、登録機能の自動実行がメニュー設定記憶部１２ｂにて設定されている場合には、機能実行部１３ａは、登録機能の自動実行を行う。
【００３０】
表示制御部１３ｂは、表示部５１ａの表示を制御する。ここでは、ユーザメニュー画面をナビゲーション装置１の起動後に表示することがメニュー設定記憶部１２ｂにて設定されている場合には、機能実行部１３ａが自動実行を行う代わりに、表示制御部１３ｂが、記憶部１２に記憶された登録に基づいて、ユーザメニュー画面を表示部５１ａに表示させる。また、地図画面をナビゲーション装置１の起動後に表示することがメニュー設定記憶部１２ｂにて設定されている場合には、表示制御部１３ｂは、ユーザメニュー画面の代わりに地図画面を表示部５１ａに表示させる。
【００３１】
図４は、本実施の形態１に係るナビゲーション装置の処理を示すフローチャートである。なお前提として、登録操作などによって、一以上の機能が既に登録されているものとする。さらに前提として、設定操作などによって、登録機能をナビゲーション装置１の起動後に自動的に実行すること、ユーザメニュー画面をナビゲーション装置１の起動後に表示すること、及び、地図画面をナビゲーション装置１の起動後に表示すること、のいずれか１つが予め設定されているものとする。
【００３２】
まずステップＳ１にて、自車両のアクセサリー電源などがオンされ、ナビゲーション装置１が起動する。
【００３３】
ステップＳ２にて、制御部１３の表示制御部１３ｂは、起動画面を表示部５１ａに表示させる。なお、起動画面は、オープニング画面とも呼ばれ、例えばナビゲーション装置１の製品名、メーカー名などを表示する画面である。
【００３４】
ステップＳ３にて、制御部１３は、メニュー設定記憶部１２ｂの設定を確認する。登録機能をナビゲーション装置１の起動後に自動的に実行することが設定されている場合には処理がステップＳ４に進む。ユーザメニュー画面をナビゲーション装置１の起動後に表示することが設定されている場合には処理がステップＳ５に進む。地図画面をナビゲーション装置１の起動後に表示することが設定されている場合には処理がステップＳ６に進む。
【００３５】
ステップＳ３からステップＳ４に進んだ場合、制御部１３の機能実行部１３ａは、登録機能を自動的に実行する。その後、図４の処理が終了する。
【００３６】
ステップＳ３からステップＳ５に進んだ場合、制御部１３の表示制御部１３ｂは、ユーザメニュー画面を表示部５１ａに表示させる。この場合、制御部１３の表示制御部１３ｂは、ステップＳ１のナビゲーション装置１の起動後、かつ、ステップＳ５のユーザメニュー画面の表示前に、ステップＳ２にて起動画面を表示部５１ａに表示させることになる。その後、図４の処理が終了する。なお、ユーザメニュー画面を表示してから一定時間経過するまでに、ユーザメニュー画面のアイコンなどに対して操作が行われなかった場合には、表示制御部１３ｂは、ユーザメニュー画面の表示から地図画面の表示に切り替えてもよい。
【００３７】
ステップＳ３からステップＳ６に進んだ場合、制御部１３の表示制御部１３ｂは、地図画面を表示部５１ａに表示させる。その後、図４の処理が終了する。
【００３８】
以上のような本実施の形態１に係るナビゲーション装置１によれば、ナビゲーション装置１の起動後に登録機能を自動的に実行する。このため、ユーザが操作しなくても、ユーザが望む特定の機能を実行することができるので、ユーザの手間を低減することができる。このことは、例えば、ナビゲーション装置１の起動後にユーザの操作によって、自宅や会社などの特定の場所が目的地または経由地として設定されることが多い場合、または、特定の楽曲が再生されることが多い場合などに有効である。
【００３９】
また、本実施の形態１によれば、設定によって、登録機能を自動的に実行する代わりに、ユーザメニュー画面を表示したり、地図画面を表示したりすることができる。これにより、登録機能の自動実行、ユーザメニュー画面の表示、及び、地図画面の表示のうち、ユーザが希望する動作を行うことができる。
【００４０】
＜変形例１＞
実施の形態１では、地図画面をナビゲーション装置１の起動後に表示することがメニュー設定記憶部１２ｂにて設定されている場合に、表示制御部１３ｂは、ユーザメニュー画面の代わりに地図画面を表示部５１ａに表示させた。しかし、これに限ったものではない。例えば、図５に示すように、ユーザメニュー画面及び地図画面をナビゲーション装置１の起動後に表示することがメニュー設定記憶部１２ｂにて設定されている場合には、表示制御部１３ｂは、ユーザメニュー画面とともに地図画面を表示部５１ａに表示させてもよい。
【００４１】
＜変形例２＞
実施の形態１において、取得部１１は、互いに対応付けられた二以上の機能について登録を受け付けてもよい。そして、制御部１３の表示制御部１３ｂは、登録された二以上の機能を１回の操作で実行可能な画面を、ユーザメニュー画面として表示部５１ａに表示させてもよい。
【００４２】
図６は、本変形例２に係るユーザメニュー画面の表示例を示す図である。この例では、制御部１３の機能実行部１３ａは、ユーザメニュー画面に含まれるアイコン２３に対して１回の操作が行われた場合に、案内機能及びオーディオ機能の両方を実行する。なお、案内機能及びオーディオ機能は、一方の後に他方が連続して実行されてもよいし、両方が並列的に実行されてもよい。このようなナビゲーション装置１によれば、実施の形態１で表示されるユーザメニュー画面よりも、ユーザの手間を低減可能なユーザメニュー画面を表示することができる。
【００４３】
なお、本変形例２のユーザメニュー画面の表示と同様に、制御部１３の機能実行部１３ａは、記憶部１２に記憶された登録に基づいて、登録された二以上の機能をナビゲーション装置１の起動後に自動的に実行してもよい。この構成において、例えば、登録された二以上の機能が、案内機能及びオーディオ機能である場合、案内機能及びオーディオ機能の両方が、ナビゲーション装置１の起動後に実行されることになる。このようなナビゲーション装置１によれば、実施の形態１よりも、ユーザの手間を低減することが可能となる。
【００４４】
＜変形例３＞
実施の形態１において、例えば制御部１３が、取得部１１で受け付けた変更に基づいて、記憶部１２に記憶された登録を変更してもよい。なお、この登録の変更には、記憶部１２に記憶された登録の一部もしくは全部の変更、または、登録の削除などが含まれる。このようなナビゲーション装置１によれば、ユーザは、必要に応じて記憶部１２に記憶された登録を変更することができる。
【００４５】
＜変形例４＞
以上の説明では、登録操作によって機能が登録された。しかしこれに限ったものではなく、登録された回数が最も多い機能がナビゲーション装置１によって自動的に登録されてもよい。
【００４６】
＜その他の変形例＞
上述したナビゲーション装置１における取得部１１及び制御部１３（以下「取得部１１等」と記す）は、図７に示す処理回路９１により実現される。すなわち、処理回路９１は、複数の機能のうち一以上の機能の登録を受け付ける取得部１１と、記憶部１２に記憶された登録に基づいて、登録された一以上の機能をナビゲーション装置１の起動後に自動的に実行する自動実行を行う制御部１３と、を備える。処理回路９１には、専用のハードウェアが適用されてもよいし、メモリに格納されるプログラムを実行するプロセッサ（ＣＰＵ、中央処理装置、処理装置、演算装置、マイクロプロセッサ、マイクロコンピュータ、Digital Signal Processor）が適用されてもよい。
【００４７】
処理回路９１が専用のハードウェアである場合、処理回路９１は、例えば、単一回路、複合回路、プログラム化したプロセッサ、並列プログラム化したプロセッサ、ＡＳＩＣ、ＦＰＧＡ、またはこれらを組み合わせたものが該当する。取得部１１等の各部の機能それぞれは、複数の処理回路９１で実現されてもよいし、各部の機能をまとめて一つの処理回路９１で実現されてもよい。
【００４８】
処理回路９１がプロセッサである場合、取得部１１等の機能は、ソフトウェア等（ソフトウェア、ファームウェア、またはソフトウェアとファームウェア）との組み合わせにより実現される。ソフトウェア等はプログラムとして記述され、メモリに格納される。図８に示すように、処理回路９１に適用されるプロセッサ９２は、メモリ９３に記憶されたプログラムを読み出して実行することにより、各部の機能を実現する。すなわち、ナビゲーション装置１は、処理回路９１により実行されるときに、複数の機能のうち一以上の機能の登録を受け付けるステップと、受け付けた登録を記憶するステップと、記憶された登録に基づいて、登録された一以上の機能をナビゲーション装置１の起動後に自動的に実行するステップと、が結果的に実行されることになるプログラムを格納するためのメモリ９３を備える。換言すれば、このプログラムは、取得部１１等の手順や方法をコンピュータに実行させるものであるともいえる。ここで、メモリ９３には、例えば、ＲＡＭ（Random Access Memory）、ＲＯＭ（Read Only Memory）、フラッシュメモリー、ＥＰＲＯＭ（Erasable Programmable Read Only Memory）、ＥＥＰＲＯＭ（Electrically Erasable Programmable Read Only Memory）などの、不揮発性または揮発性の半導体メモリ、ＨＤＤ（Hard Disk Drive）、磁気ディスク、フレキシブルディスク、光ディスク、コンパクトディスク、ミニディスク、ＤＶＤ（Digital Versatile Disc）及びそのドライブ装置等が該当する。
【００４９】
以上のように、処理回路９１は、ハードウェア、ソフトウェア等、またはこれらの組み合わせによって、上述の各機能を実現することができる。なお、登録記憶部１２ａ及びメニュー設定記憶部１２ｂは、一つのメモリから構成されてもよいし、別々のメモリから構成されてもよい。
【００５０】
また、以上でナビゲーション装置として説明した制御装置は、Portable Navigation Deviceなどのナビゲーション装置と、携帯電話、スマートフォン及びタブレットなどの携帯端末を含む通信端末と、これらにインストールされるアプリケーションの機能と、サーバとを適宜に組み合わせてシステムとして構築される制御システムにも適用することができる。この場合、以上で説明した制御装置の各機能あるいは各構成要素は、前記システムを構築する各機器に分散して配置されてもよいし、いずれかの機器に集中して配置されてもよい。その一例として、制御装置は、図１の出力部５１を備えていてもよい。
【００５１】
図９は、本変形例に係る通信端末６１の構成を示すブロック図である。この例では、制御装置は通信端末６１であり、移動体は人などである。図９の通信端末６１は、取得部６１ａと、記憶部６１ｂと、制御部６１ｃと、出力部６１ｄとを備えている。ここで、取得部６１ａは、複数の機能のうち一以上の機能の登録を受け付ける。記憶部６１ｂは、取得部６１ａで受け付けた登録を記憶する。制御部６１ｃは、記憶部６１ｂに記憶された登録に基づいて、登録された一以上の機能を通信端末６１の起動後に自動的に実行する。出力部６１ｄは、実行された機能に基づく内容を出力する。このように構成された通信端末６１であっても、実施の形態１で説明したナビゲーション装置１と同様の効果を得ることができる。
【００５２】
なお、本発明は、その発明の範囲内において、実施の形態を適宜、変形、省略することが可能である。
【符号の説明】
【００５３】
１  ナビゲーション装置、１１  取得部、１２  記憶部、１３  制御部、５１ａ  表示部。
【図１】
2017207324.tif 000003
【図２】
2017207324.tif 000004
【図３】
2017207324.tif 000005
【図４】
2017207324.tif 000006
【図５】
2017207324.tif 000007
【図６】
2017207324.tif 000008
【図７】
2017207324.tif 000009
【図８】
2017207324.tif 000010
【図９】
2017207324.tif 000011